(57)【要約】本発明の一実施例によれば、ボディ部及び内部に送風管が設けられるヘッド部を含むハウジングと、前記ボディ部の内部に配置されるバッテリーと、前記ヘッド部の一端に配置される送風ファンと、前記ヘッド部の他端に挿入されて前記送風管の内部に固定される支持台と、カーボンナノチューブシートから構成され、前記支持台上に配置されて前記バッテリーから電力供給を受けて発熱する面状発熱体を含むコードレスヘアドライヤーを提供する。
2021532937.tif 000002
【特許請求の範囲】
【請求項１】
ユーザーによって把持されるボディ部及び内部に送風管が設けられるヘッド部を含むハウジングと、
前記ボディ部の内部に配置されるバッテリーと、
前記ヘッド部の一端に配置される送風ファンと、
前記ヘッド部の他端に挿入され、前記送風管の内部に固定される支持台と、
カーボンナノチューブシートから構成され、前記支持台上に配置されて前記バッテリーから電力供給を受けて発熱する面状発熱体を含む、コードレスヘアドライヤー。
【請求項２】
前記面状発熱体は、連続性を持つシート状のカーボンナノチューブシートからなる、請求項１に記載のコードレスヘアドライヤー。
【請求項３】
前記支持台は、複数個設けられ、
前記面状発熱体は、前記支持台のそれぞれに配置される複数個のカーボンナノチューブシートを含む、請求項１に記載のコードレスヘアドライヤー。
【請求項４】
前記面状発熱体は、前記支持台上で所定間隔離隔して配置される複数個のカーボンナノチューブシートを含む、請求項１又は３に記載のコードレスヘアドライヤー。
【請求項５】
前記面状発熱体は、前記支持台上に螺旋状に配置される、請求項１又は３に記載のコードレスヘアドライヤー。
【請求項６】
前記面状発熱体は、１０４Ｓ／ｍ以上の電気伝導度を持つ、請求項１に記載のコードレスヘアドライヤー。
【請求項７】
前記ボディ部の外部と連通して空気流路を提供する吸気口を含む、請求項１に記載のコードレスヘアドライヤー。
【請求項８】
前記ボディ部は、前記バッテリーを囲む内層及び前記内層と所定間隔離隔して前記内層を囲む外層を含む、請求項１に記載のコードレスヘアドライヤー。
【請求項９】
前記支持台は、
前記面状発熱体が巻かれるボディ部と、
前記送風管の内部に接触して前記胴体を支持する支持部を含む、請求項１に記載のコードレスヘアドライヤー。
【請求項１０】
前記面状発熱体は、近赤外線、中赤外線、遠赤外線の波長及びアニオンを放射する、請求項１に記載のコードレスヘアドライヤー。
【請求項１１】
前記面状発熱体は、カーボンナノチューブ集合体であって、バインダーを除いたカーボンナノチューブ及びその他の不可避な不純物からなり、電力供給時の温度が４００度〜８００度に上昇する、請求項１に記載のコードレスヘアドライヤー。
【請求項１２】
前記面状発熱体は、前記胴体部の周りを囲むが、前記胴体部の上で対向する前記面状発熱体の上端部と下端部は所定の間隔離隔されており、前記上端部と前記下端部の端に沿ってそれぞれカソード電極とアノード電極が設けられており、前記カソード電極と前記アノード電極を介して電力が供給される、請求項１１に記載のコードレスヘアドライヤー。
【請求項１３】
前記面状発熱体は、７０Ｗの電力で８００度の温度を有する、請求項１に記載のコードレスヘアドライヤー。
【発明の詳細な説明】
【技術分野】
【０００１】
本発明の一実施例は、コードレスヘアドライヤーに関する。
【背景技術】
【０００２】
従来のヘアドライヤーは、電源プラグを電源端子に接続した上で電源スイッチを入れると、板状またはバネ状に巻かれたタングステンコイル、鉄クロム線またはニクロム線のような熱線に電源が印加されて前記熱線が発熱し始めるとともに、本体の後端部に取り付けられたファンモータも電源が印加されて前記ファンモータに取り付けられたファンが駆動を開始し、前記ファンが駆動されると、吸入口を介して空気が本体内に吸入され、この吸入された空気は、ヒーターを通過しながら熱風に変換され、吐出口を介して外部に吐出されるため、ユーザーが毛髪の乾燥や所望の毛髪の形態をセッティングできるようになる。
【０００３】
こうした従来の毛髪の乾燥は、毛髪の外部のみが加熱され、熱風が到達しない毛髪の内側の部分は、よく乾燥されていないという問題点があった。また、毛髪の内側の部分を乾燥させるために毛髪の一部分に長い間ヘアドライヤーの熱風を加える場合、高温の熱風によって毛髪が損傷するという問題点があった。また、熱風を発生させる熱線の効率が低く、電気を多く消費するという問題点があるため、バッテリーを用いるコードレスヘアドライヤーは、具現が困難であった。
【０００４】
一方、現代のヘアドライヤーは、毛髪の乾燥という本来の機能に加えて、様々な付加的な要件が求められている。これらの要件としては、１）毛髪の健康増進、２）エネルギーの削減などがある。
【０００５】
３μｍ〜１,０００μｍの波長帯の光を遠赤外線（ＩＲ−Ｃ）といい、一般的に遠赤外線は、温熱作用、乾燥、生体効果、水の活性化、熟成及び生育促進、浸透作用、輻射作用などがあることが知られている。一方、人体は、体温が平均３６.５℃の一種の天然熱源であって、人体から輻射される全輻射エネルギーの４６％が、８μｍ〜１４μｍ波長の遠赤外線である。毛髪の健康を増進させるため、アニオンを供給したり、遠赤外線を放出させるなどの様々な試みが存在しており、アニオンや遠赤外線の放出のため、様々な手段が動員されている。ＰＣＴ／ＪＰ２００１／０１１２８４号は、アニオンが放出されるヘアドライヤーを開示している。
【０００６】
一方、炭素を発熱体として使用する先行技術としては、大韓民国公開２００７−００９４０４１号は、ヘアドライヤー本体の内部に発熱物質と電極物質がコーティングされるチューブ型セラミックヒーターが備えられ、アニオン及び遠赤外線を発生して毛髪を保護する技術が開示されている。該技術は、セラミックヒーターに炭素を含む発熱源をコーティングする方式で炭素をヘアドライヤーに適用させている。
【０００７】
そして、日本登録実用新案第３０１１９６４号は、ヘアドライヤーに遠赤外線を放射するコーティング剤を被覆するか、カーボン成形体を装着して貫通孔から遠赤外線を伴う温風を外部に排出するヘアドライヤーを開示している。この技術は、炭素成形体が発熱源として使用されるものではなく、加熱ヒーターにより加熱された空気が、炭素成形体を通過する方式なので、遠赤外線放出量が少なくなる。
【０００８】
また、大韓民国登録実用新案２０−０３６９３８１号及び大韓民国登録実用新案２０−０３６４３４０号は、炭素繊維ヒーターを装着して対流加熱方式と赤外線輻射加熱方式により同時に毛髪を乾燥させるヘアドライヤーを開示している。この技術は、炭素繊維を使用し、石英ガラス管の内部に炭素繊維を入れて真空処理後に封入する方式を用いるが、これは衝撃に弱い。
【０００９】
このような技術開発の流れを察し見ると、コードレスヘアドライヤーよりは十分な遠赤外線を供給するための技術に関心が集中してきており、バッテリー技術の発達に伴い、コードレスヘアドライヤーの開発が求められている。
【発明の概要】
【発明が解決しようとする課題】
【００１０】
本発明が解決しようとする技術的課題は、電力消耗が少なく放射率が高いため、低電力駆動に適したコードレスヘアドライヤーを提供することにある。
【００１１】
また、低電力駆動が可能な炭素材料の環境にやさしいコードレスヘアドライヤーを提供することにある。
【課題を解決するための手段】
【００１２】
本発明の一実施例によれば、ボディ部及び内部に送風管が設けられるヘッド部を含むハウジングと、前記ボディ部の内部に配置されるバッテリーと、前記ヘッド部の一端に配置される送風ファンと、前記ヘッド部の他端に挿入されて前記送風管の内部に固定される支持台と、カーボンナノチューブシートから構成され、前記支持台上に配置されて前記バッテリーから電力供給を受けて発熱する面状発熱体を含むコードレスヘアドライヤーを提供する。
【００１３】
前記面状発熱体は、連続性を持つシート状のカーボンナノチューブシートからなってもよい。
【００１４】
前記支持台は、複数個設けられ、前記面状発熱体は、前記支持台のそれぞれに配置される複数個のカーボンナノチューブシートを含んでもよい。
【００１５】
前記面状発熱体は、前記支持台上から所定間隔離隔して配置される複数個のカーボンナノチューブシートを含んでもよい。
【００１６】
前記面状発熱体は、前記支持台上に螺旋状に配置されてもよい。
【００１７】
前記面状発熱体は、１０４Ｓ／ｍ以上の電気伝導度を持っていてもよい。
【００１８】
前記ボディ部は、外部と連通して空気流路を提供する吸気口を含んでもよい。
【００１９】
前記ボディ部は、前記バッテリーを囲む内層及び前記内層と所定間隔離隔して前記内層を囲む外層を含んでもよい。
【００２０】
前記支持台は、前記面状発熱体が巻かれる胴体部と、前記送風管の内部に接触して前記胴体を支持する支持部を含んでもよい。
【００２１】
前記面状発熱体は、近赤外線、中赤外線、遠赤外線の波長及びアニオンを放射してもよい。
【００２２】
前記面状発熱体は、カーボンナノチューブ集合体であって、バインダーを除いたカーボンナノチューブ及びその他の不可避な不純物からなり、電力供給時の温度が４００度〜８００度まで上昇することができる。
【００２３】
前記面状発熱体は、前記胴体部の周りを囲むが、前記胴体部の上で対向する前記面状発熱体の上端部と下端部は所定の間隔離隔されており、前記上端部と前記下端部の端に沿ってそれぞれカソード電極とアノード電極が設けられており、前記カソード電極と前記アノード電極を介して電力が供給されることができる。
【００２４】
前記面状発熱体は、７０Ｗの電力で８００度の温度を持つことができる。
【発明の効果】
【００２５】
本発明のコードレスヘアドライヤーは、電力消耗が少なく放射率が高いため、低電力駆動に適している。
【００２６】
また、無線駆動に適している。
【００２７】
また、遠赤外線とアニオンを放出してもよい。
【００２８】
また、炭素材料及び低電力駆動が可能な環境にやさしいコードレスヘアドライヤーを提供することにある。
【００２９】
また、耐熱性に優れている。
【図面の簡単な説明】
【００３０】
【図１】本発明の実施例によるコードレスヘアドライヤーの分解斜視図である。
【図２】本発明の実施例による面状発熱体の放射特性を説明するための図である。
【図３】本発明の実施例による面状発熱体の発熱特性を説明するための図である。
【図４】本発明の実施例による面状発熱体及び支持台の概念図である。
【図５】本発明の実施例による面状発熱体及び支持台の概念図である。
【図６】本発明の実施例による面状発熱体及び支持台の概念図である。
【図７】本発明の実施例による面状発熱体及び支持台の概念図である。
【図８】本発明の実施例による面状発熱体及び支持台の概念図である。
【図９】本発明の実施例による面状発熱体及び支持台の概念図である。
【図１０】本発明の実施例によるコードレスヘアドライヤーの概念図である。
【発明を行うための最良の形態】
【００３１】
以下、添付図面を参照し、本発明の好ましい実施例を詳細に説明する。
【００３２】
但し、本発明の技術思想は、説明する一部の実施例に限定されるものではなく、互いに異なる多様な形態で具現されてもよく、本発明の技術思想の範囲内であれば、実施例の間でその構成要素のうち、一つ以上を選択的に結合、置換して使用してもよい。
【００３３】
また、本発明の実施例で使用される用語（技術及び科学的用語を含む）は、明らかに特に定義されて記述されない限り、本発明が属する技術分野で通常の知識を有する者に一般的に理解されうる意味として解釈されてもよく、事前に定義された用語のように一般的に使用される用語は、関連技術の文脈上の意味を考慮して、その意味を解釈できるであろう。
【００３４】
また、本発明の実施例で使用される用語は、実施例を説明するためのものであり、本発明を制限するものではない。
【００３５】
本明細書において、単数形は、文句において特に言及しない限り、複数形も含んでもよく、「Ａ及び（と）Ｂ、Ｃのうち少なくとも一つ（または１つ以上の）」と記載される場合、Ａ、Ｂ、Ｃとして組み合わせることができる全ての組み合わせのうちの一つ以上を含んでもよい。
【００３６】
また、本発明の実施例の構成要素を説明するにあたって、第１、第２、Ａ、Ｂ、（ａ）、（ｂ）などの用語を使用してもよい。
【００３７】
これらの用語は、その構成要素を他の構成要素と区別するためのもので、その用語により、当該構成要素の本質や順番または順序などに限定されない。
【００３８】
そして、ある構成要素が他の構成要素に「連結」、「結合」または「接続」されると記載された場合、その構成要素は、その他の構成要素に直接的に連結、結合または接続される場合だけではなく、その構成要素とその他の構成要素との間にあるさらに他の構成要素により、「連結」、「結合」または「接続」されている場合も含んでもよい。
【００３９】
また、各構成要素の「上部（上）または下部（下）」に形成または配置されるものと記載されている場合、上部（上）または下部（下）は、２つの構成要素が互いに直接接触される場合だけでなく、１つ以上のさらに他の構成要素が２つの構成要素の間に形成または配置される場合も含む。また、「上部（上）または下部（下）」と表現される場合、１つの構成要素を基準にして上方向だけでなく、下方向の意味も含んでもよい。
【００４０】
以下、添付図面を参照して、実施例を詳細に説明するが、図面符号に関係なく、同一または対応する構成要素は、同じ参照番号を付与し、これに対する重複する説明は、省略する。
【００４１】
図１は、本発明の実施例によるコードレスヘアドライヤーの分解斜視図である。図１を参照すると、本発明の実施例によるコードレスヘアドライヤー１は、ハウジング１０、バッテリー２０、送風ファン３０、支持台４０、及び面状発熱体５０を含んで構成されてもよい。
【００４２】
ハウジング１０は、ボディ部１１及びヘッド部１２を含んでもよい。ハウジング１０は、プラスチック材質で形成されてもよい。
【００４３】
ボディ部１１の内部には、収容スペースが設けられており、バッテリー２０が配置されてもよい。ボディ部１１の外形は、人の掌で握りしめたとき、これに対応する形状に形成されてもよい。ボディ部１１は、外部と連通して空気流路を提供する吸入口１３を含んでもよい。ボディ部１１の下端部には、内部と外部を連通する吸入口１３が設けられており、空気の流出入が可能である。吸入口１３に沿ってハウジング１０の内部に流入した空気は、送風ファン３０の動作によってヘッド部１２の送風管１４に移動しうる。
【００４４】
例えば、吸入口１３は、ボディ部１１の下端部の側面に提供されるか、またはボディ部１１の底面に提供されてもよい。有線ヘアドライヤーの場合、ボディ部１１の下端部には、必須的に電線が配置されている。しかし、実施例におけるコードレスヘアドライヤー１は、内部に装着されたバッテリー２０を介して電力の供給を受けることができるので、ボディ部１１の下端部に吸入口１３が提供されてもよい。
【００４５】
ボディ部１１は、バッテリー２０を囲む内層１５及び内層１５と所定間隔離隔して内層１５を囲む外層１６を含んでもよい。ボディ部１１の内層１５と外層１６との間には、所定の空間を有する空気層１７が形成されており、バッテリー２０で生成された熱がボディ部１１の外側に移動することを減少させることができる。ボディ部１１の側面と下部面を介して流入した空気は、送風ファン３０の動作によりヘッド部１２に移動してもよい。
【００４６】
すなわち、実施例によるコードレスヘアドライヤー１は、ユーザーが把持するボディ部１１の内部にバッテリー２０が設けられており、充電された状態で無線で動作しうる。また、バッテリー２０を囲む内層１５と外層１６との間に所定の空間を有する空気層を設けることにより、バッテリー２０の発熱時にユーザーが把持した部分から伝達される熱を減少させることができる。
【００４７】
ヘッド部１２は、円筒状で、内部には収容スペースが設けられており、送風管１４が配置されてもよい。送風ファン３０の動作により、ハウジング１０の内部の空気は、送風管１４に沿って移動して、ヘッド部１２の末端に設けられた吐出口１８を介して外部に排出されてもよい。バッテリー２０は、ボディ部１１の内部に配置されてもよい。バッテリー２０は、複数個が直列または並列に配置されてもよい。バッテリー２０は、送風ファン３０及び面状発熱体５０と電気的に連結されてそれぞれに電力を供給しうる。
【００４８】
バッテリー２０の種類と個数は、面状発熱体５０の抵抗と特性に応じて多様に配置されてもよい。例えば、バッテリー２０は、リチウムイオンバッテリーが使用されてもよい。しかし、これとは異なり面状発熱体２０の発熱特性に応じて、様々な二次電池がバッテリーとして使用されてもよい。
【００４９】
バッテリー２０は、発熱体の抵抗を考慮して設定しなければ、必要な熱量を得ることができない。発熱体の抵抗が低すぎると、電流が流れすぎてバッテリー２０から引き出すことができる電流量に制限がかかってコードレスヘアドライヤー１を具現し難く、たとえ具現してもバッテリー２０の個数が増えてドライヤーの重量と体積が大幅に増加して、コードレスヘアドライヤー１の長所を損なうことになる。発熱体の抵抗が高い場合には、印加電圧が高くなり、所要するバッテリーの個数を増加させることになり、やはりドライヤーの重量と体積を増加させる結果となる。また、昇圧回路を使用する場合には、エネルギー損失と発熱の副作用を経験するため、発熱体の抵抗は、使用しようとするバッテリー２０の性能と密接な関連があることになる。本発明は、カーボンナノチューブシートのみから構成された面状発熱体３０を用いてコードレスヘアドライヤー１を構成することにより、バッテリー２０から出力される電力のみでヘアドライヤーで要求する熱量を確保できるという技術的効果がある。すなわち、既存のコードレスヘアドライヤーの場合、６００Ｗの電力で発熱体の温度が２１０度まで上昇するが、ヘアドライヤーとしては適していない。これに対して、本発明の実施例によるコードレスヘアドライヤー１は、約７０Ｗで８００度まで面状発熱体の温度が上昇することができ、商用化されているバッテリーのみでヘアドライヤーで要求する発熱量を十分に確保できるという技術的効果がある。
【００５０】
送風ファン３０は、ヘッド部１２の一端に配置されてもよい。送風ファン３０は、ボディ部１１に隣接するヘッド部１２の一端に配置されてもよい。送風ファン３０は、バッテリー２０を介して電力供給を受けて動作しうる。送風ファン３０は、電力を受けて回転することにより、ハウジング１０の内部の空気を送風管１４を介して移動させることができる。
【００５１】
支持台４０は、ヘッド部１２の他端に挿入されて送風管１４の内部に固定されてもよい。支持台４０は、送風管１４の長さ方向に沿って配置されてもよい。例えば、支持台４０は、耐熱性のあるイミドまたはガラスなどの材質から構成されてもよい。
【００５２】
支持台４０は、面状発熱体５０が巻かれる胴体部４１及び送風管１４の内部に接触して胴体を支持する支持部４２を含んでもよい。胴体部４１は、面状発熱体５０が巻かれる部分であって、面状発熱体５０と空気の接触面が最大化できるように「Ｘ」字状であってもよい。胴体部４１は、送風管１４の長さ方向に沿って延びている。胴体部４１の長さは、送風管１４の長さと同一であるか、小さく形成されてもよい。胴体部４１と送風管１４の内部は、所定の間隔で離隔されている。したがって、胴体部４１に巻かれた面状発熱体５０の上面と下面に沿って空気が移動しうる。
【００５３】
支持部４２は、胴体部４１の両端に形成されてもよい。支持部４２は、２つの支柱が、 「Ｘ」字状に形成されてもよい。支持部４２を構成するそれぞれの支柱は、送風管１４の内径に直接接触して支持台４０がハウジング１０の内部で固定されるようにする。
【００５４】
面状発熱体５０は、カーボンナノチューブシートから構成され、支持台４０上に配置されてバッテリー２０から電力供給を受けて発熱しうる。面状発熱体５０は、胴体部４１の周囲を囲むが、胴体部４１上で対向する面状発熱体５０の上端部と下端部には、所定間隔離隔されており、上端部と下端部の端に沿ってそれぞれカソード電極とアノード電極が設けられてもよい。
【００５５】
面状発熱体５０は、シート状のカーボンナノチューブを含んでもよい。
【００５６】
本発明の実施例による面状発熱体５０は、カーボンナノチューブ集合体であって、バインダーを除いたカーボンナノチューブのみからなり、電気伝導性、放射率及び耐熱性が非常に高い。
【００５７】
本発明の実施例による面状発熱体５０は、直接放射法、シリコン基板上に垂直成長したカーボンナノチューブを用いたフォレスト放射法（Ｆｏｒｅｓｔ  ｓｐｉｎｎｉｎg）、カーボンナノチューブ粉末を分散した後、これをフィルター及び圧着してシートを製造する方法を使用するか、またはグラフェンシートなどを使用してもよい。
【００５８】
カーボンナノチューブシートを合成するために実施例では、アセトン、ブタノールなどの有機溶媒とフェロセン（Ｆｅｒｒｏｃｅｎｅ）０.４−２.０ｗｔ％、チオフェン（Ｔｈｉｏｐｈｅｎｅ）１.４−９.０ｗｔ％の組成の合成溶液を使用した。これを高温の垂直合成炉の上端部で１０〜１００ｍｌ／ｈの範囲で注入し、また、移送ガス（Ｈ２）は、８００−２０００ｓｃｃｍの速度で合成溶液とともに注入した。合成炉の温度は、１０００−１５００℃の範囲に維持し、合成炉の下端部では、合成されたカーボンナノチューブシートを１〜３０ｍ／ｍｉｎの範囲で巻き取った。
【００５９】
生成された面状発熱体５０には、電極５１、５２が形成されてもよい。
【００６０】
面状発熱体５６は、１０４Ｓ／ｍ以上の電気伝導度を持ってもよく、約７０Ｗの電力供給を受けて約８００度まで温度が上昇されてもよい。
【００６１】
また、面状発熱体５０は、近赤外線、中赤外線及び遠赤外線の波長を放射しうる。図２は、本発明の実施例による面状発熱体の放射特性を説明するための図である。本発明の実施例において面状発熱体は、非常に高い放射率を持ってもよい。面状発熱体は、図２に示すように、別途の添加剤なしに近赤外線、中赤外線及び遠赤外線にわたる様々な波長を放射しうる。
【００６２】
面状発熱体５０の電極５１、５２には、外部から電力供給を受けるための導線５３が連結されてもよい。面状発熱体５０は、導線５３を介して電力供給を受けて発熱される。このとき、導線５３は、ハウジング１０に配置されたバッテリー２０に連結されて面状発熱体５０に電力を供給しうる。
【００６３】
本発明の実施例による面状発熱体５０は、比熱が低く急速加熱が可能である。図３は、本発明の実施例による面状発熱体の発熱特性を説明するための図である。図３を参照すると、面状発熱体は、７０Ｗの電力が供給されたとき、電源連結とともに３秒以内に瞬間的に温度が８００度まで上がることが確認できる。すなわち、実施例による面状発熱体は、電力供給時の温度が４００度〜８００度に上昇してもよく、３秒以内の時間に温度が５００度以上に上昇し、その後、５００度〜８００度の間の温度を持続的に維持しうる。一般的なカーボンナノチューブとは異なり、実施例による面状発熱体は、コードレスヘアドライヤーの使用に必要な５００度以上の温度を発熱しうる。実施例による面状発熱体は、カーボンナノチューブの集合体として、バインダーを除いたカーボンナノチューブ及びその他の不可避な不純物のみからなり、コードレスヘアドライヤーの使用に必要な高温の熱を短時間で発熱しうる。
【００６４】
本発明の実施例による面状発熱体５０は、このような電気伝導度特性、放射特性及び発熱特性を介してコードレスヘアドライヤー１に最適化された性能を提供しうる。
【００６５】
面状発熱体５０は、連続性を持つシート状のカーボンナノチューブシートからなってもよい。図４は、本発明の実施例による面状発熱体及び支持台の概念図である。図４を参照すると、面状発熱体５０は、支持台４０の胴体部４１を囲む一つのカーボンナノチューブシートから構成されてもよい。カーボンナノチューブシートは、上端部と下端部が所定の間隔離隔して支持台４０の胴体部４１を囲んでいる。カーボンナノチューブシートの上端部及び下端部の端に沿ってカソード電極５１とアノード電極５２がそれぞれ設けられており、導線５３が連結されてもよい。しかし、これとは異なり、カーボンナノチューブシートの側端部の端にそれぞれ電極が設けられて導線が連結されてもよく、電極の配置と形状は、カーボンナノチューブシートの形状、バッテリーの位置などによって多様に変更されてもよい。
【００６６】
面状発熱体５０の上面は、送風管１４と所定間隔離隔されており、下面は、胴体部４１によって広がっており、糸枠に巻かれている形状を持っていてもよい。送風ファン３０によって外圧を受けた空気は、面状発熱体５０の上面と下面に沿って移動しながら面状発熱体５０から発熱された熱をハウジング１０の外部に排出させることができる。
【００６７】
または、ハウジング１０の内部の支持台４０には、複数個の面状発熱体５０が配置される複数個のカーボンナノチューブシート５４から構成されてもよい。図５は、本発明の実施例による面状発熱体及び支持台の概念図である。図５を参照すると、「Ｘ」字状の支持台４０がハウジング１０の内部に複数個設けられている。それぞれの支持台４０の胴体部４１には、カーボンナノチューブシート５４が巻かれている。それぞれのカーボンナノチューブシートは、上端部と下端部が所定の間隔離隔して支持台４０の胴体部４１を囲んでいる。それぞれのカーボンナノチューブシートの上端部及び下端部の端に沿ってカソード電極５１とアノード電極５２がそれぞれ設けられており、導線５３が連結されていてもよい。このとき、それぞれのカーボンナノチューブシート５４は、バッテリー２０に並列に連結されて、効率的に電力供給を受けることができる。
【００６８】
または、面状発熱体５０は、支持台４０上で所定間隔離隔して配置される複数個のカーボンナノチューブシート５４から構成されてもよい。図６は、本発明の実施例による面状発熱体及び支持台の概念図である。図６を参照すると、面状発熱体５０は、所定の幅を有する複数個のカーボンナノチューブシート５４から構成されてもよい。それぞれのカーボンナノチューブシート５４は、支持台４０の胴体部４１上に所定の間隔をもって離隔して配置されてもよい。それぞれのカーボンナノチューブシート５４は、上端部と下端部が所定の間隔離隔して支持台４０の胴体部４１を囲んでいる。それぞれのカーボンナノチューブシートの上端部及び下端部の端に沿ってカソード電極５１とアノード電極５２がそれぞれ設けられており、導線５３が連結されてもよい。導線５３は、胴体部４１の長さ方向に沿って配置されてそれぞれのカーボンナノチューブシート５４に形成された電極５１、５２にそれぞれ連結されてもよい。送風ファン３０によって外圧を受けた空気は、面状発熱体５０の上面と下面、そしてカーボンナノチューブシート５４との間の間隔に沿って移動することにより、面状発熱体５０と空気との接触面を増加させることができる。したがって、より効率的に面状発熱体５０から発熱された熱をハウジング１０の外部に排出させることができる。
【００６９】
または、面状発熱体５０は、複数個の支持台４０上で所定間隔離隔して配置される複数個のカーボンナノチューブシート５４を含んでもよい。図７は、本発明の実施例による面状発熱体及び支持台の概念図である。図７を参照すると、「Ｘ」字状の支持台４０がハウジング１０の内部に複数個設けられている。面状発熱体５０は、所定の幅を有する複数個のカーボンナノチューブシート５４から構成されてもよい。カーボンナノチューブシート５４は、それぞれの支持台の胴体部４１上に所定の間隔をもって離隔して配置されてもよい。それぞれのカーボンナノチューブシート５４は、上端部と下端部が所定の間隔離隔して支持台４０の胴体部４１を囲んでいる。それぞれのカーボンナノチューブシートの上端部及び下端部の端に沿ってカソード電極５１とアノード電極５２がそれぞれ設けられており、導線５３が連結されてもよい。導線５３は、胴体部４１の長さ方向に沿って配置されてそれぞれのカーボンナノチューブシート５４に形成された電極５１、５２にそれぞれ連結されてもよい。このとき、それぞれのカーボンナノチューブシート５４は、バッテリー２０に並列に連結されて効率的に電力供給を受けることができる。また、送風ファン３０によって外圧を受けた空気は、面状発熱体５０の上面と下面、そしてカーボンナノチューブシート５４との間の間隔に沿って移動することにより、面状発熱体５０と空気との接触面を増加させることができる。したがって、より効率的に面状発熱体５０から発熱された熱をハウジング１０の外部に排出させることができる。
【００７０】
または、面状発熱体５０は、胴体部４１の表面にパターンが設けられた支持台４０上で所定間隔離隔して配置される複数個のカーボンナノチューブシート５４に構成されてもよい。図８は、本発明の実施例による面状発熱体及び支持台の概念図である。図８を参照すると、面状発熱体５０は、所定の幅を有する複数個のカーボンナノチューブシート５４から構成されてもよい。支持台の胴体部４１の表面には、凹凸状のパターンが形成されてもよい。それぞれのカーボンナノチューブシート５４は、支持台の胴体部４１上に所定の間隔をもって離隔して配置されてもよい。このとき、カーボンナノチューブシート５４の幅は、胴体部４１に形成された凹凸状の幅と同一であるか、小さくてもよい。したがって、それぞれのカーボンナノチューブシート５４は、凹凸状のパターンに応じて胴体部４１に配置されてもよい。それぞれのカーボンナノチューブシート５４は、上端部と下端部が所定の間隔離隔して支持台４０の胴体部４１を囲んでいる。それぞれのカーボンナノチューブシートの上端部及び下端部の端に沿ってカソード電極５１とアノード電極５２がそれぞれ設けられており、導線５３が連結されてもよい。導線５３は、胴体部４１の長さ方向に沿って配置されてそれぞれのカーボンナノチューブシート５４に形成された電極にそれぞ連結されてもよい。送風ファン３０によって外圧を受けた空気は、面状発熱体５０の上面と下面、そしてカーボンナノチューブシート５４との間の間隔に沿って移動することにより、面状発熱体５０と空気との接触面を増加させることができる。したがって、より効率的に面状発熱体５０から発熱された熱をハウジング１０の外部に排出させることができる。
【００７１】
または、面状発熱体５０は、支持台４０上に螺旋状に配置されてもよい。図９は、本発明の実施例による面状発熱体及び支持台の概念図である。図９を参照すると、面状発熱体５０は、支持台の胴体部４１を螺旋状に囲む一つのカーボンナノチューブシート５４から構成されてもよい。支持台の胴体部４１には、所定の間隔でスリット（ｓｌｉｔ）が形成されており、カーボンナノチューブシート５４が貫通している。カーボンナノチューブシートの上端部及び下端部の端に沿ってカソード電極５１とアノード電極５２がそれぞれ設けられており、導線５３が連結されてもよい。しかし、これとは異なり、カーボンナノチューブシートの側端部の端にそれぞれ電極が設けられて導線が連結されてもよく、電極の配置と形状は、カーボンナノチューブシートの形状、バッテリーの位置などによって多様に変更されてもよい。
【００７２】
面状発熱体５０を螺旋状に支持台の胴体部４１に配置することにより、面状発熱体５０と空気間の接触面積を大幅に増加させることができ、面状発熱体５０から発熱された熱をより効率的にハウジング１０の外部に排出させることができる。
【００７３】
図１０は、本発明の実施例によるコードレスヘアドライヤーの概念図である。図１０を参照すると、コードレスヘアドライヤー１は、スタンド１００に着脱式で据え置きされてもよい。スタンド１００は、有線で電力供給を受けることができる。コードレスヘアドライヤー１は、スタンド１００に据え置きされた状態で自動的に充電が行われることができる。また、コードレスヘアドライヤー１は、据置された状態でも動作しうる。スタンド１００には、角度調整台１１０が含まれており、コードレスヘアドライヤー１が据え置きされた状態で、送風角度を調節してもよい。
【００７４】
表１は、本発明の実施例によるコードレスヘアドライヤー１の動作の結果を説明するための表である。表１によると、２３０Ｗの電力を供給したとき、コードレスヘアドライヤー１から排出される空気の温度は、５５度〜５７度で測定され、２７０Ｗの電力を供給したとき、コードレスヘアドライヤー１から排出される空気の温度は、６０度〜６１度で測定された。バッテリー２０は、リチウムイオンバッテリーを使用し、風の強さは、商用化された有線ヘアドライヤーの風の強さを基準に測定した。電力が２３０Ｗのとき、風の強さによる影響で空気の温度が低くなる現象を示した。実験結果によると、コードレスヘアドライヤー１から排出される空気の温度は、毛髪に適した乾燥温度である５７度に近く測定されたことが確認できる。
【００７５】
【表１】
2021532937.tif 000003
【００７６】
有線ヘアドライヤーとは異なり、コードレスヘアドライヤーは、バッテリーから電力供給を受けるので、使用できるエネルギー量に制約がある。したがって、発熱体のエネルギー消費量が大きければ、大量のエネルギーが供給されなければならず、これはコードレスヘアドライヤーの重量と体積の増加を引き起こすことになる。重くて大きいコードレスヘアドライヤーは、有線ヘアドライヤーに比べて大きな長所を持ちにくい。一方、コードレスヘアドライヤーに装着されるバッテリーの量が少なければ、供給可能なエネルギーが減り、空気の温度を十分に上げることができない。本発明の実施例によるコードレスヘアドライヤーは、商用化されているリチウムイオンバッテリーを使用して、毛髪に適した乾燥温度である５７度に類似した温度の空気を排出できるという長所がある。また、面状発熱体５０の抵抗特性とバッテリー２０の特性を多様に変更することにより、所望の電力量で様々な温度帯の空気を排出するように設計できるという技術的効果がある。
【００７７】
本実施例で使用される「〜部」という用語は、ソフトウェアまたはＦＰＧＡ（ｆｉｅｌｄ−ｐｒｏｇｒａｍｍａｂｌｅ  ｇａｔｅ  ａｒｒａｙ）やＡＳＩＣなどのハードウェア構成要素を意味し、「〜部」は、何らかの役割を果たす。しかし、「〜部」は、ソフトウェアまたはハードウェアに限定される意味ではない。「〜部」は、アドレッシング可能な保存媒体にあるように構成されてもよく、１つまたはそれ以上のプロセッサを再生させるように構成されてもよい。したがって、一例として、「〜部」は、ソフトウェアの構成要素、オブジェクト指向ソフトウェア構成要素、クラス構成要素及びタスク構成要素などの構成要素と、プロセス、関数、属性、プロシージャ、サブルーチン、プログラムコードのセグメント、ドライバ、ファームウェア、マイクロコード、回路、データ、データベース、データ構造、テーブル、アレイ及び変数を含む。構成要素と「〜部」のうちで提供される機能は、より小さい数の構成要素及び「〜部」で結合するか、追加的な構成要素と「〜部」にさらに分離されてもよい。それだけではなく、構成要素及び「〜部」は、デバイスまたはセキュリティマルチメディアカード内の一つまたはそれ以上のＣＰＵを再生させるように具現されうる。
【００７８】
前記では、本発明の好適な実施例を参照して説明したが、当該技術分野の熟練した当業者は、下記の特許請求の範囲に記載された本発明の思想及び領域から逸脱しない範囲内で、本発明を多様に修正及び変更させることができることを理解できるだろう。
【符号の説明】
【００７９】
１：コードレスヘアドライヤー
１０：ハウジング
２０：バッテリー
３０：送風ファン
４０：支持台
５０：面状発熱体
【図１】
2021532937.tif 000004
【図２】
2021532937.tif 000005
【図３】
2021532937.tif 000006
【図４（ａ）】
2021532937.tif 000007
【図４（ｂ】
2021532937.tif 000008
【図４（ｃ）】
2021532937.tif 000009
【図５（ａ）】
2021532937.tif 000010
【図５（ｂ）】
2021532937.tif 000011
【図６（ａ）】
2021532937.tif 000012
【図６（ｂ）】
2021532937.tif 000013
【図７（ａ）】
2021532937.tif 000014
【図７（ｂ）】
2021532937.tif 000015
【図８（ａ）】
2021532937.tif 000016
【図８（ｂ）】
2021532937.tif 000017
【図９（ａ）】
2021532937.tif 000018
【図９（ｂ）】
2021532937.tif 000019
【図１０】
2021532937.tif 000020
【国際調査報告】
2021532937.tif 000021
2021532937.tif 000022
2021532937.tif 000023
2021532937.tif 000024